(57)【要約】【課題】本発明は、自動車等における内燃機関の点火プラグに対して高電圧を供給し、火花放電を発生させるための制御を行うイグナイタの効率良い放熱が行われる内燃機関用点火コイルに関するものである。【解決手段】本発明のイグナイタは、集積回路、放熱板、接続端子部、ワイヤー、およびこれらを覆うモールド部から構成されている。前記放熱板は、一方の面の一部に集積回路が配置されているとともに、第２接続端子が一体に成形されている。また、前記集積回路は、ワイヤーによって第１接続端子および第２接続端子に接続されている。前記モールド部は、前記放熱板の三方の端部において、少なくともモールドされていない。点火コイル収納ケースは、側面に前記放熱板を取り付けるコ字状切欠部が備えられている。前記コ字状切欠部の三方には、前記放熱板の三方の端部が嵌合する凹溝が備えられている。【選択図】図１
2007239534.tif 000002
【特許請求の範囲】
【請求項１】
一次コイルにおける電流の通電および遮断を点火信号に基づいて行うことにより高電圧を発生させ、内燃機関に点火を行うための内燃機関用点火コイルにおいて、
前記電流の通電および遮断制御を行うための電子回路が収納されている集積回路と、
一方の面の一部分に前記集積回路が配置されているとともに、第２接続端子と一体になっている放熱板と、
前記集積回路とワイヤーによって接続されている第１接続端子および第３接続端子と、
前記放熱板の少なくとも三方の端部を残し、前記放熱板の一部、前記集積回路、前記ワイヤー、および前記第１接続端子から第３接続端子の一部がモールドされているモールド部と、
から少なくとも構成されているイグナイタと：
側面にコ字状切欠部を備え、前記コ字状切欠部の三方に前記放熱板の端部と嵌合する凹溝が備えられている点火コイル、鉄心、および絶縁樹脂等が収納されている点火コイル収納ケースと：
から少なくとも構成され、前記放熱板の三方の端部と前記点火コイル収納ケースの凹溝とが嵌合していることを特徴とする内燃機関用点火コイル。
【請求項２】
前記イグナイタの点火コイル収納ケースへの取り付けは、前記集積回路を絶縁充填樹脂側あるいは反対側のいずれか一方を選択できるようにしたことを特徴とする請求項１に記載された内燃機関用点火コイル。
【請求項３】
前記放熱板は、第１接続端子および第３接続端子が配置される二つの凹部が形成されていることを特徴とする請求項１または請求項２に記載された内燃機関用点火コイル。
【発明の詳細な説明】
【技術分野】
【０００１】
本発明は、自動車等における内燃機関の点火プラグに対して高電圧を供給し、火花放電を発生させるための制御を行うイグナイタの効率良い放熱が行われる内燃機関用点火コイルに関するものである。
【背景技術】
【０００２】
図４は従来例におけるイグナイタを説明するための斜視図である。図４において、イグナイタ４１は、基板兼放熱板４１１に図示されていない集積回路等と、前記集積回路等を包むモールドからなるパッケージ４１２と、接続端子４１３とから構成されている。前記基板兼放熱板４１１は、前記集積回路等の熱を前記モールドの外に延設されるように構成され、放熱効果を向上させている。前記パッケージ４１２は、集積回路等が振動に耐えるようにモールド樹脂により包まれている。
【０００３】
図５は従来例におけるイグナイタと点火コイル収納ケースとの関係を説明するための図である。図５において、点火コイルおよび鉄心等を収納する点火コイル収納ケース４２には、イグナイタ４１を収納するイグナイタ収納部４３が設けられている。図６は従来例における点火コイル収納ケースにイグナイタが収納された状態を説明するための図である。図６において、イグナイタ４１は、前記点火コイル収納ケース４２に設けられたイグナイタ収納部４３の内部に入れられた後、絶縁充填樹脂により固定される。
【０００４】
特開平６−２６４３号公報に記載された内燃機関用点火装置は、点火コイルケースの側壁にＵ字状の開口が形成され、前記Ｕ字状開口に沿ってイグナイタのフランジが嵌合されるようになっている。前記Ｕ字状開口の外側が前記イグナイタの放熱板が露出するようになっており、前記放熱板を介して前記イグナイタを構成するパワートランジスタの熱を放熱する。
【特許文献１】特開平６−２６４３号公報
【発明の開示】
【発明が解決しようとする課題】
【０００５】
しかし、前記特許文献１における内燃機関用点火装置は、イグナイタに設けられた放熱板を介して外部にパワートランジスタの熱を放出しているため、イグナイタを小型化することができなかった。また、前記特許文献１のイグナイタは、収納ケースに設けられたＵ字状の溝に沿って入れる際に、複数のフランジどうしが嵌合されるようになっているため構造的に複雑になっている。また、図４から図６に示された従来例は、収納ケースに設けられたイグナイタ収納部にイグナイタを入れ、絶縁樹脂が充填されるため、放熱を充分に行うことができなかった。
【０００６】
以上のような課題を解決するために、本発明は、イグナイタの構造を簡単で、しかも小型化および放熱性の向上を同時に達成できる内燃機関用点火コイルを提供することを目的とする。
【課題を解決するための手段】
【０００７】
（第１発明）
第１発明の内燃機関用点火コイルは、一次コイルにおける電流の通電および遮断を点火信号に基づいて行うことにより高電圧を発生させ、内燃機関に点火を行うためのものであり、前記電流の通電および遮断制御を行うための電子回路が収納されている集積回路と、一方の面の一部分に前記集積回路が配置されているとともに、第２接続端子と一体になっている放熱板と、前記集積回路とワイヤーによって接続されている第１接続端子および第３接続端子と、前記放熱板の少なくとも三方の端部を残し、前記放熱板の一部、前記集積回路、前記ワイヤー、および前記第１接続端子から第３接続端子の一部がモールドされているモールド部とから少なくとも構成されているイグナイタと：
側面にコ字状切欠部を備え、前記コ字状切欠部の三方に前記放熱板の端部と嵌合する凹溝が備えられている点火コイル、鉄心、および絶縁樹脂等が収納されている点火コイル収納ケースと：
から少なくとも構成され、前記放熱板の三方の端部と前記点火コイル収納ケースの凹溝とが嵌合していることを特徴とする。
【０００８】
（第２発明）
第２発明の内燃機関用点火コイルは、第１発明のイグナイタの点火コイル収納ケースへの取り付けが前記集積回路を絶縁充填樹脂側あるいは反対側のいずれか一方を選択できるようにしたことを特徴とする。
【０００９】
（第３発明）
第３発明の内燃機関用点火コイルは、第１発明または第２発明の放熱板に第１接続端子および第３接続端子が配置される二つの凹部が形成されていることを特徴とする。
【発明の効果】
【００１０】
本発明によれば、放熱板の一部のみに集積回路が取り付けられており、前記放熱板の面積を大きく、かつ、前記集積回路が取り付けられている放熱板が点火コイル収納ケースの外に直接露出しているため、小型化されているだけでなく、放熱効率を向上させることができる。
【００１１】
本発明によれば、イグナイタを構成している放熱板の端部を点火コイル等を収納する点火コイル収納ケースの凹溝に直接嵌合できるため、作製および組み立てが容易で、かつ、小型であるにもかかわらず放熱性が優れている。
【００１２】
本発明によれば、放熱板の端部を何等加工することなく、前記点火コイル収納ケースに設けられた凹溝に直接嵌合できるため、作製および組み立てが容易で、かつ、迅速にできる。
【発明を実施するための最良の形態】
【００１３】
（第１発明）
第１発明の内燃機関用点火コイルは、一次コイルにおける電流の通電および遮断を点火信号に基づいて行うことにより高電圧を発生させ、内燃機関に点火を行うためのものであり、イグナイタと、前記イグナイタ、鉄心、点火コイル等を収納する点火コイル収納ケースとから少なくとも構成されている。また、前記イグナイタは、集積回路、放熱板、接続端子部、ワイヤー、およびこれらを覆うモールド部から構成されている。前記放熱板は、一方の面の一部に集積回路が配置されているとともに、第２接続端子が一体に成形されている。また、前記集積回路は、ワイヤーによって第１接続端子および第２接続端子に接続されている。
【００１４】
前記モールド部は、前記放熱板の一部、集積回路、ワイヤー、および第１接続端子から第３接続端子の一部がモールドされている。前記モールド部は、前記放熱板の三方の端部において、少なくともモールドされていない。点火コイル収納ケースは、点火コイル、鉄心、および絶縁樹脂等を収納するものであり、側面に前記放熱板を取り付けるコ字状切欠部が備えられている。前記コ字状切欠部の三方には、前記放熱板の三方の端部が嵌合する凹溝が備えられている。前記イグナイタは、前記集積回路の熱が直接伝達する放熱板の全面が前記点火コイル収納ケースの外部に露出しているため、放熱効果が向上された。前記放熱板の三方の端部が嵌合する凹溝と放熱板との間には、隙間を少なくすることができるため、この部分から絶縁充填樹脂が漏洩することがない。
【００１５】
（第２発明）
第２発明の内燃機関用点火コイルは、第１発明のイグナイタにおける放熱板の全面または集積回路が取り付けられている側を点火コイル収納ケースの外部に露出するように取り付けることができる。前記第１接続端子から第３接続端子の向きは、その都度配線に都合のよいような方向に曲げられる。
【００１６】
（第３発明）
第３発明の内燃機関用点火コイルは、放熱板に二つの凹部を形成しておき、前記凹部に第１接続端子および第３接続端子が前記放熱板に接触しないように配置されているため、放熱板を必要最小限の大きさにすることができるとともに、モールド部を小型にしている。
【実施例１】
【００１７】
図１（イ）は本発明の実施例におけるイグナイタを説明するための斜視図で、（ロ）はイグナイタの放熱板方向から見た斜視図である。図１（イ）および（ロ）において、イグナイタ１１は、放熱板１１１と、モールドされたモールド部１１２と、前記モールド部１１２の三方に設けられている放熱板下端部１１１１、放熱板側端部１１１１′、１１１１″、接続端子部１１３と、前記モールドされた集積回路１１５と、ワイヤー１１５１、１１５２とから構成されている。また、接続端子部１１３は、前記集積回路１１５の図示されていないパワートランジスタ等とワイヤー１１５１、１１５２によって接続されている第１接続端子１１３１、第３接続端子１１３３と、放熱板１１１と一体に成形されている第２接続端子１１３２とから構成されている。
【００１８】
前記モールド部１１２は、第２接続端子１１３２と一体になっている放熱板１１１の裏面全面が露出され、他方の面の一部に接続端子部１１３の一部、ワイヤー１１５１、１１５２、集積回路１１５がモールドされている。また、前記モールド部１１２は、三方の端部に前記放熱板１１１の端部がモールドされずにいる。第１接続端子１１３１および第３接続端子１１３３は、ワイヤー１１５１およびワイヤー１１５２により前記集積回路１１５と接続されている。
【００１９】
図２は本発明の実施例で、点火コイル収納ケースを説明するための図である。図２において、点火コイル収納ケース１２は、点火コイルおよび鉄心等を収納するものであり、側面にコ字状切欠部１２１が成形されている。前記コ字状切欠部１２１の三方周囲には、前記イグナイタ１１の放熱板１１１が嵌合する凹溝１２２が成形されている。
【００２０】
図３は本発明の実施例で、イグナイタと点火コイル収納ケースとが組み立てられた状態を説明するための図である。前記点火コイル収納ケース１２の凹溝１２２には、前記イグナイタ１１の放熱板１１１の放熱板下端部１１１１、放熱板側端部１１１１′、１１１１″が嵌合し、前記両者に隙間を作らずに、前記点火コイル収納ケース１２の内部から絶縁充填樹脂が漏洩することがないようにしている。そして、前記イグナイタ１１の裏面全面は、前記点火コイル収納ケース１２の外部に露出しているため、放熱効果が向上される。また、前記イグナイタ１１は、必要に応じて、図３の向きと反対、すなわち、集積回路１１５側を前記点火コイル収納ケース１２の外部に向けて取り付けることができる。
【００２１】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例における内燃機関用点火コイル、収納ケースの材質、絶縁充填樹脂の材質、イグナイタのモールド材等は、公知または周知のものを採用することができる。同様に、前記イグナイタにおける集積回路は、公知または周知のものである。
【図面の簡単な説明】
【００２２】
【図１】（イ）は本発明の実施例におけるイグナイタを説明するための斜視図で、（ロ）はイグナイタの放熱板方向から見た斜視図である。（実施例１）
【図２】本発明の実施例で、点火コイル収納ケースを説明するための図である。
【図３】本発明の実施例で、イグナイタと点火コイル収納ケースとが組み立てられた状態を説明するための図である。
【図４】従来例におけるイグナイタを説明するための斜視図である。
【図５】従来例におけるイグナイタと点火コイル収納ケースとの関係を説明するための図である。
【図６】従来例における点火コイル収納ケースにイグナイタが収納された状態を説明するための図である。
【符号の説明】
【００２３】
１１・・・イグナイタ
１１１・・・放熱板
１１１１・・・放熱板下端部
１１１１′、１１１１″・・・放熱板側端部
１１２・・・モールド部
１１３・・・接続端子部
１１３１・・・第１接続端子
１１３２・・・第２接地端子
１１３３・・・第３接続端子
１１５・・・集積回路
１１５１、１１５２・・・ワイヤー
１２・・・点火コイル収納ケース
１２１・・・コ字状切欠部
１２２・・・凹溝
【図１】
2007239534.tif 000003
【図２】
2007239534.tif 000004
【図３】
2007239534.tif 000005
【図４】
2007239534.tif 000006
【図５】
2007239534.tif 000007
【図６】
2007239534.tif 000008